(57)【特許請求の範囲】
【請求項１】
溶接ワイヤの送給速度の正送と逆送とを所定の周期及び所定の振幅で繰り返して、短絡期間とアーク期間とを発生させて溶接を行うアーク溶接制御方法において、
平均送給速度設定値及び溶接速度に基づいて前記周期及び／又は前記振幅を設定する、
ことを特徴とするアーク溶接制御方法。
【請求項２】
前記送給速度の平均値を検出し、前記振幅が変化しても前記送給速度の平均値が前記平均送給速度設定値と等しくなるように前記送給速度をフィードバック制御する、
ことを特徴とする請求項１記載のアーク溶接制御方法。
【発明の詳細な説明】
【技術分野】
【０００１】  本発明は、溶接ワイヤの送給速度の正送と逆送とを所定の周期及び所定の振幅で繰り返して、短絡期間とアーク期間とを発生させて溶接を行うアーク溶接制御方法に関するものである。
【背景技術】
【０００２】  一般的な消耗電極式アーク溶接では、消耗電極である溶接ワイヤを一定速度で送給し、溶接ワイヤと母材との間にアークを発生させて溶接が行なわれる。消耗電極式アーク溶接では、溶接ワイヤと母材とが短絡期間とアーク期間とを交互に繰り返す溶接状態になることが多い。【０００３】  溶接品質をさらに向上させるために、溶接ワイヤの正送と逆送とを周期的に繰り返して溶接する方法が提案されている（例えば、特許文献１参照）。以下、この溶接方法について説明する。【０００４】  図４は、送給速度の正送と逆送とを周期的に繰り返す溶接方法における波形図である。同図（Ａ）は送給速度Ｆｗの波形を示し、同図（Ｂ）は溶接電流Ｉｗの波形を示し、同図（Ｃ）は溶接電圧Ｖｗの波形を示す。以下、同図を参照して説明する。【０００５】  同図（Ａ）に示すように、送給速度Ｆｗは、０よりも上側が正送期間となり、下側が逆送期間となる。正送とは溶接ワイヤを母材に近づける方向に送給することであり、逆送とは母材から離反する方向に送給することである。送給速度Ｆｗは、正弦波状に変化しており、正送側にシフトした波形となっている。このために、送給速度Ｆｗの平均値は正の値となり、溶接ワイヤは平均的には正送されている。【０００６】  同図（Ａ）に示すように、送給速度Ｆｗは、時刻ｔ１時点では０であり、時刻ｔ１〜ｔ２の期間は正送加速期間となり、時刻ｔ２で正送の最大値となり、時刻ｔ２〜ｔ３の期間は正送減速期間となり、時刻ｔ３で０となり、時刻ｔ３〜ｔ４の期間は逆送加速期間となり、時刻ｔ４で逆送の最大値となり、時刻ｔ４〜ｔ５の期間は逆送減速期間となる。そして、時刻ｔ５〜ｔ６の期間は再び正送加速期間となり、時刻ｔ６〜ｔ７の期間は再び正送減速期間となる。したがって、送給速度Ｆｗは、時刻ｔ１〜ｔ５の周期Ｔｆ（ｍｓ）、時刻ｔ２の正送の最大値と時刻ｔ４の逆送の最大値との差である振幅Ｗｆ（ｍｍ／ｍｉｎ）及び正送側シフト量Ｓｆ（ｍｍ／ｍｉｎ）が所定値に設定された送給速度パターンで繰り返すことになる。【０００７】  溶接ワイヤと母材との短絡は、時刻ｔ２の正送最大値の前後で発生することが多い。同図では、正送最大値の後の正送減速期間中の時刻ｔ２１で発生した場合である。時刻ｔ２１において短絡が発生すると、同図（Ｃ）に示すように、溶接電圧Ｖｗは数Ｖの短絡電圧値に急減し、同図（Ｂ）に示すように、溶接電流Ｉｗは次第に増加する。【０００８】  同図（Ａ）に示すように、送給速度Ｆｗは、時刻ｔ３からは逆送期間になるので、溶接ワイヤは逆送される。この逆送によって短絡が解除されて、時刻ｔ３１においてアークが再発生する。アークの再発生は、時刻ｔ４の逆送最大値の前後で発生することが多い。同図では、逆送ピーク値の前の逆送加速期間中の時刻ｔ３１で発生した場合である。したがって、時刻ｔ２１〜ｔ３１の期間が短絡期間となる。【０００９】  時刻ｔ３１においてアークが再発生すると、同図（Ｃ）に示すように、溶接電圧Ｖｗは数十Ｖのアーク電圧値に急増する。同図（Ｂ）に示すように、溶接電流Ｉｗは、短絡期間中の最大値の状態から変化を開始する。【００１０】  時刻ｔ３１〜ｔ５の期間中は、同図（Ａ）に示すように、送給速度Ｆｗは逆送状態であるので、溶接ワイヤは引き上げられてアーク長は次第に長くなる。アーク長が長くなると、溶接電圧Ｖｗは大きくなり、定電圧制御されているので溶接電流Ｉｗは小さくなる。したがって、時刻ｔ３１〜ｔ５のアーク期間逆送期間Ｔａｒ中は、同図（Ｃ）に示すように、溶接電圧Ｖｗは次第に大きくなり、同図（Ｂ）に示すように、溶接電流Ｉｗは次第に小さくなる。【００１１】  そして、次の短絡が、時刻ｔ６〜ｔ７の正送減速期間中の時刻ｔ６１に発生する。但し、時刻ｔ６１に発生した短絡は、時刻ｔ２１に発生した短絡よりも正送最大値からの時間（位相）が遅くなっている。このように短絡が発生するタイミングは、ある程度のばらつきを有している。時刻ｔ３１〜ｔ６１の期間がアーク期間となる。時刻ｔ５〜ｔ６１の期間中は、同図（Ａ）に示すように、送給速度Ｆｗは正送状態であるので、溶接ワイヤは正送されてアーク長は次第に短くなる。アーク長が短くなると、溶接電圧Ｖｗは小さくなり、定電圧制御されているので溶接電流Ｉｗは大きくなる。したがって、時刻ｔ５〜ｔ６１のアーク期間正送期間Ｔａｓ中は、同図（Ｃ）に示すように、溶接電圧Ｖｗは次第に小さくなり、同図（Ｂ）に示すように、溶接電流Ｉｗは次第に大きくなる。【００１２】  上述したように、溶接ワイヤの正送と逆送とを繰り返す溶接方法では、定速送給の従来技術では不可能であった短絡とアークとの繰り返しの周期を所望値に設定することができるので、スパッタ発生量の削減、ビード外観の改善等の溶接品質の向上を図ることができる。【００１３】  特許文献１の発明では、溶接電流設定値に応じた送給速度の平均値とし、溶接ワイヤの正送と逆送との周波数及び振幅を溶接電流設定値に応じた値とする。これにより、溶接電流設定値が変化しても安定した溶接を行うことができる。
【先行技術文献】
【特許文献】
【００１４】
【特許文献１】日本国特許第５２０１２６６号公報
【発明の概要】
【発明が解決しようとする課題】
【００１５】  しかし、溶接電流設定値（送給速度平均値）が同一であっても、溶接速度が低速の場合と高速の場合とで溶接ワイヤの送給速度パターンが同一のままでは、溶接状態が不安定になる。同様に、単位溶接長さ当たりのワイヤ溶着量が小さい場合と大きい場合とで溶接ワイヤの送給速度パターンが同一のままでは、溶接状態が不安定になる。【００１６】  そこで、本発明では、溶接ワイヤの正送と逆送とを繰り返すアーク溶接において、溶接速度又は単位溶接長さ当たりのワイヤ溶着量が変化しても溶接状態を安定に保つことができるアーク溶接制御方法を提供することを目的とする。
【課題を解決するための手段】
【００１７】
上述した課題を解決するために請求項１の発明は、
溶接ワイヤの送給速度の正送と逆送とを所定の周期及び所定の振幅で繰り返して、短絡期間とアーク期間とを発生させて溶接を行うアーク溶接制御方法において、
平均送給速度設定値及び溶接速度に基づいて前記周期及び／又は前記振幅を設定する、
ことを特徴とするアーク溶接制御方法である。
【００１８】
請求項２の発明は、前記送給速度の平均値を検出し、前記振幅が変化しても前記送給速度の平均値が前記平均送給速度設定値と等しくなるように前記送給速度をフィードバック制御する、
ことを特徴とする請求項１記載のアーク溶接制御方法である。
【発明の効果】
【００１９】  本発明によれば、溶接速度又は単位溶接長さ当たりのワイヤ溶着量が変化しても、送給速度の周期及び／又は振幅が適正値に変化するので、安定した溶接状態を保つことができる。
【図面の簡単な説明】
【００２０】
【図１】本発明の実施の形態１に係るアーク溶接制御方法を実施するための溶接電源のブロック図である。
【図２】本発明の実施の形態２に係るアーク溶接制御方法を実施するための溶接電源のブロック図である。
【図３】本発明の実施の形態３に係るアーク溶接制御方法を実施するための溶接電源のブロック図である。
【図４】従来技術において、送給速度の正送と逆送とを周期的に繰り返す溶接方法における波形図である。
【発明を実施するための形態】
【００２１】  以下、図面を参照して本発明の実施の形態について説明する。
【００２２】［実施の形態１］  実施の形態１の発明は、溶接速度に基づいて送給速度の周期及び／又は振幅を設定するものである。
【００２３】  図１は、本発明の実施の形態１に係るアーク溶接制御方法を実施するための溶接電源のブロック図である。以下、同図を参照して各ブロックについて説明する。
【００２４】  電源主回路ＰＭは、３相２００Ｖ等の商用電源（図示は省略）を入力として、後述する駆動信号Ｄｖに従ってインバータ制御等による出力制御を行い、出力電圧Ｅを出力する。この電源主回路ＰＭは、図示は省略するが、商用電源を整流する１次整流器、整流された直流を平滑する平滑コンデンサ、平滑された直流を高周波交流に変換する上記の駆動信号Ｄｖによって駆動されるインバータ回路、高周波交流を溶接に適した電圧値に降圧する高周波変圧器、降圧された高周波交流を直流に整流する２次整流器を備えている。
【００２５】  リアクトルＷＬは、上記の出力電圧Ｅを平滑する。このリアクトルＷＬのインダクタンス値は、例えば２００μＨである。
【００２６】  送給モータＷＭは、後述する送給制御信号Ｆｃを入力として、正送と逆送とを周期的に繰り返して溶接ワイヤ１を送給速度Ｆｗで送給する。送給モータＷＭには、過渡応答性の速いモータが使用される。溶接ワイヤ１の送給速度Ｆｗの変化率及び送給方向の反転を速くするために、送給モータＷＭは溶接トーチ４の先端の近くに設置される場合がある。また、送給モータＷＭを２個使用して、プッシュプル方式の送給系とする場合もある。
【００２７】  溶接ワイヤ１は、上記の送給モータＷＭに結合された送給ロール５の回転によって溶接トーチ４内を送給されて、母材２との間にアーク３が発生する。溶接トーチ４内の給電チップ（図示は省略）と母材２との間には溶接電圧Ｖｗが印加し、溶接電流Ｉｗが通電する。
【００２８】  出力電圧設定回路ＥＲは、予め定めた出力電圧設定信号Ｅｒを出力する。出力電圧検出回路ＥＤは、上記の出力電圧Ｅを検出し平滑して、出力電圧検出信号Ｅｄを出力する。
【００２９】  電圧誤差増幅回路ＥＡは、上記の出力電圧設定信号Ｅｒ及び上記の出力電圧検出信号Ｅｄを入力として、出力電圧設定信号Ｅｒ（＋）と出力電圧検出信号Ｅｄ（−）との誤差を増幅して、電圧誤差増幅信号Ｅａを出力する。この回路によって、溶接電源は定電圧制御される。
【００３０】  駆動回路ＤＶは、上記の電圧誤差増幅信号Ｅａを入力として、電圧誤差増幅信号Ｅａに基づいてＰＷＭ変調制御を行い、上記の電源主回路ＰＭ内のインバータ回路を駆動するための駆動信号Ｄｖを出力する。
【００３１】  平均送給速度設定回路ＦＡＲは、予め定めた平均送給速度設定信号Ｆａｒを出力する。溶接速度設定回路ＷＳＲは、予め定めた溶接速度設定信号Ｗｓｒを出力する。
【００３２】  周期設定回路ＴＦＲは、上記の平均送給速度設定信号Ｆａｒ及び上記の溶接速度設定信号Ｗｓｒを入力として、予め定めた周期設定関数によって周期を算出して、周期設定信号Ｔｆｒを出力する。この周期設定関数は、予め実験によって算出しておく。平均送給速度設定信号Ｆａｒが大きくなるのに伴い、周期設定信号Ｔｆｒは大きくなる比例の関係にある。他方、溶接速度設定信号Ｗｓｒが大きくなるのに伴い、周期設定信号Ｔｆｒは小さくなる反比例の関係にある。
【００３３】  振幅設定回路ＷＦＲは、上記の平均送給速度設定信号Ｆａｒ及び上記の溶接速度設定信号Ｗｓｒを入力として、予め定めた振幅設定関数によって振幅を算出して、振幅設定信号Ｗｆｒを出力する。この振幅設定関数は、予め実験によって算出しておく。平均送給速度設定信号Ｆａｒが大きくなるのに伴い、振幅設定信号Ｗｆｒは大きくなる比例の関係にある。他方、溶接速度設定信号Ｗｓｒが大きくなるのに伴い、振幅設定信号Ｗｆｒは小さくなる反比例の関係にある。
【００３４】  正送側シフト量設定回路ＳＦＲは、予め定めた正送側シフト量設定信号Ｓｆｒを出力する。
【００３５】  送給速度設定回路ＦＲは、上記の周期設定信号Ｔｆｒ、上記の振幅設定信号Ｗｆｒ及び上記の正送側シフト量設定信号Ｓｆｒを入力として、周期設定信号Ｔｆｒによって定まる周期及び振幅設定信号Ｗｆｒによって定まる振幅から形成される正弦波を、正送側シフト量設定信号Ｓｆｒによって定まる正送側シフト量だけシフトした送給速度パターンを送給速度設定信号Ｆｒとして出力する。この送給速度設定信号Ｆｒが０以上のときは正送期間となり、０未満のときは逆送期間となる。
【００３６】  送給制御回路ＦＣは、この送給速度設定信号Ｆｒを入力として、送給速度設定信号Ｆｒの値に相当する送給速度Ｆｗで溶接ワイヤ１を送給するための送給制御信号Ｆｃを上記の送給モータＷＭに出力する。
【００３７】  図１における送給速度Ｆｗ、溶接電流Ｉｗ及び溶接電圧Ｖｗの波形図は、上述した図４と同一であるので、説明は繰り返さない。図１において、溶接速度設定回路ＷＳＲから出力される溶接速度設定信号Ｗｓｒが変化すると、周期設定回路ＴＦＲによって周期設定信号Ｔｆｒが適正値に設定され、振幅設定回路ＷＦＲによって振幅設定信号Ｗｆｒが適正値に設定される。この結果、図４（Ａ）において、溶接速度が変化すると、周期Ｔｆ及び振幅Ｗｆが適正値に自動的に変化する。このために、安定した溶接状態を保つことができる。図１においては、溶接速度設定信号Ｗｓｒに基づいて周期設定信号Ｔｆｒ及び振幅設定信号Ｗｆｒが共に変化する場合を例示したが、どちらか一方だけ変化するようにしても良い。また、送給速度パターンが正弦波である場合を説明したが、三角波、台形波等であっても良い。
【００３８】  上述した実施の形態１によれば、溶接速度に基づいて送給速度の周期及び／又は振幅を設定する。これにより、溶接速度が変化しても、送給速度の周期及び／又は振幅が適正値に変化するので、安定した溶接状態を保つことができる。
【００３９】［実施の形態２］  実施の形態２の発明は、単位溶接長さ当たりのワイヤ溶着量に基づいて送給速度の周期及び／又は振幅を設定するものである。
【００４０】  単位溶接長さ当たりのワイヤ溶着量Ｍｄ（ｍｍ３／ｍｍ）は、溶接ワイヤの半径をｄ（ｍｍ）、平均送給速度設定信号Ｆａｒ（ｍｍ／ｍｉｎ）及び溶接速度設定信号Ｗｓｒ（ｍｍ／ｍｉｎ）を入力として下式によって算出することができる。  Ｍｄ＝π・ｄ２・Ｆａｒ／Ｗｓｒ  …（１）式
【００４１】  図２は、本発明の実施の形態２に係るアーク溶接制御方法を実施するための溶接電源のブロック図である。同図は上述した図１と対応しており、同一のブロックには同一符号を付してそれらの説明は繰り返さない。同図は、図１に溶接ワイヤ半径設定回路ＤＲ及び単位溶接長さ当たりのワイヤ溶着量算出回路ＭＤを追加し、図１の周期設定回路ＴＦＲを第２周期設定回路ＴＦＲ２に置換し、図１の振幅設定回路ＷＦＲを第２振幅設定回路ＷＦＲ２に置換したものである。以下、同図を参照してこれらのブロックについて説明する。
【００４２】  溶接ワイヤ半径設定回路ＤＲは、使用する溶接ワイヤの半径を設定して、溶接ワイヤ半径設定信号ｄｒを出力する。
【００４３】  単位溶接長さ当たりのワイヤ溶着量算出回路ＭＤは、上記の溶接ワイヤ半径設定信号ｄｒ、平均送給速度設定信号Ｆａｒ及び溶接速度設定信号Ｗｓｒを入力として、上述した（１）式によって単位溶接長さ当たりのワイヤ溶着量を算出して、単位溶接長さ当たりのワイヤ溶着量信号Ｍｄを出力する。
【００４４】  第２周期設定回路ＴＦＲ２は、上記の単位溶接長さ当たりのワイヤ溶着量信号Ｍｄを入力として、予め定めた第２周期設定関数によって周期を算出して、周期設定信号Ｔｆｒを出力する。この第２周期設定関数は、予め実験によって算出しておく。単位溶接長さ当たりのワイヤ溶着量信号Ｍｄが大きくなるのに伴い、周期設定信号Ｔｆｒは大きくなる比例の関係にある。
【００４５】  第２振幅設定回路ＷＦＲ２は、上記の単位溶接長さ当たりのワイヤ溶着量信号Ｍｄを入力として、予め定めた第２振幅設定関数によって振幅を算出して、振幅設定信号Ｗｆｒを出力する。この第２振幅設定関数は、予め実験によって算出しておく。単位溶接長さ当たりのワイヤ溶着量信号Ｍｄが大きくなるのに伴い、振幅設定信号Ｗｆｒは大きくなる比例の関係にある。
【００４６】  図２における送給速度Ｆｗ、溶接電流Ｉｗ及び溶接電圧Ｖｗの波形図は、上述した図４と同一であるので、説明は繰り返さない。図２において、単位溶接長さ当たりのワイヤ溶着量算出回路ＭＤから出力される単位溶接長さ当たりのワイヤ溶着量信号Ｍｄが変化すると、第２周期設定回路ＴＦＲ２によって周期設定信号Ｔｆｒが適正値に設定され、第２振幅設定回路ＷＦＲ２によって振幅設定信号Ｗｆｒが適正値に設定される。この結果、図４（Ａ）において、単位溶接長さ当たりのワイヤ溶着量が変化すると、周期Ｔｆ及び振幅Ｗｆが適正値に自動的に変化する。このために、安定した溶接状態を保つことができる。図２においては、単位溶接長さ当たりのワイヤ溶着量信号Ｍｄに基づいて周期設定信号Ｔｆｒ及び振幅設定信号Ｗｆｒが共に変化する場合を例示したが、どちらか一方だけ変化するようにしても良い。また、送給速度パターンが正弦波である場合を説明したが、三角波、台形波等であっても良い。
【００４７】  上述した実施の形態２によれば、単位溶接長さ当たりのワイヤ溶着量に基づいて送給速度の周期及び／又は振幅を設定する。これにより、単位溶接長さ当たりのワイヤ溶着量が変化しても、送給速度の周期及び／又は振幅が適正値に変化するので、安定した溶接状態を保つことができる。
【００４８】［実施の形態３］  実施の形態３の発明は、実施の形態１又は２において、振幅（振幅設定信号Ｗｆｒ）が変化しても、送給速度の平均値が一定になるように送給速度を制御するものである。
【００４９】  図３は、本発明の実施の形態３に係るアーク溶接制御方法を実施するための溶接電源のブロック図である。同図は上述した図１と対応しており、同一のブロックには同一符号を付してそれらの説明は繰り返さない。同図は、図１に平均送給速度算出回路ＦＡＤ及び送給誤差増幅回路ＥＦを追加し、図１の正送側シフト量設定回路ＳＦＲを第２正送側シフト量設定回路ＳＦＲ２に置換したものである。以下、同図を参照してこれらのブロックについて説明する。
【００５０】  平均送給速度算出回路ＦＡＤは、送給速度設定信号Ｆｒを入力として、１周期当たりの平均送給速度を算出して、平均送給速度算出信号Ｆａｄを出力する。
【００５１】  送給誤差増幅回路ＥＦは、平均送給速度設定信号Ｆａｒ及びこの平均送給速度算出信号Ｆａｄを入力として、平均送給速度設定信号Ｆａｒ（＋）と平均送給速度算出信号Ｆａｄ（−）との誤差を増幅して、送給誤差増幅信号Ｅｆを出力する。
【００５２】  第２正送側シフト量設定回路ＳＦＲ２は、この送給誤差増幅信号Ｅｆを入力として、送給誤差増幅信号Ｅｆを積分して、正送側シフト量設定信号Ｓｆｒを出力する。この回路によって、平均送給速度算出信号Ｆａｄの値が平均送給速度設定信号Ｆａｒの値と等しくなるように、正送側シフト量設定信号Ｓｆｒの値がフィードバック制御される。
【００５３】  図３において、溶接速度設定回路ＷＳＲから出力される溶接速度設定信号Ｗｓｒが変化すると、周期設定回路ＴＦＲによって周期設定信号Ｔｆｒが適正値に設定され、振幅設定回路ＷＦＲによって振幅設定信号Ｗｆｒが適正値に設定される。そして、振幅設定信号Ｗｆｒが変化すると、第２正送側シフト量設定回路ＳＦＲ２によって平均送給速度算出信号Ｆａｄが平均送給速度設定信号Ｆａｒと等しくなるように正送側シフト量設定信号Ｓｆｒがフィードバック制御される。この結果、図４（Ａ）において、溶接速度が変化すると、周期Ｔｆ及び振幅Ｗｆが適正値に自動的に変化し、送給速度Ｆｗの平均値が一定になるように正送側シフト量Ｓｆが自動的に変化する。送給速度の平均値が一定になるために、さらに安定した溶接状態を保つことができる。
【００５４】  図３では、実施の形態１を基礎として正送側シフト量自動修正機能を追加した場合であるが、実施の形態２を基礎として追加する場合も同様であるので、図面及びその説明は省略する。この場合には、図２の単位溶接長さ当たりのワイヤ溶着量算出回路ＭＤから出力される単位溶接長さ当たりのワイヤ溶着量信号Ｍｄが変化すると、第２周期設定回路ＴＦＲ２によって周期設定信号Ｔｆｒが適正値に設定され、第２振幅設定回路ＷＦＲ２によって振幅設定信号Ｗｆｒが適正値に設定される。そして、振幅設定信号Ｗｆｒが変化すると、追加される第２正送側シフト量設定回路ＳＦＲ２によって平均送給速度算出信号Ｆａｄが平均送給速度設定信号Ｆａｒと等しくなるように正送側シフト量設定信号Ｓｆｒがフィードバック制御される。この結果、図４（Ａ）において、単位溶接長さ当たりのワイヤ溶着量が変化すると、周期Ｔｆ及び振幅Ｗｆが適正値に自動的に変化し、送給速度Ｆｗの平均値が一定になるように正送側シフト量Ｓｆが自動的に変化する。送給速度の平均値が一定になるために、さらに安定した溶接状態を保つことができる。
【００５５】上述した実施の形態３によれば、振幅が変化しても、送給速度の平均値が一定になるように送給速度を制御する。これにより、実施の形態１及び２の効果に加えて、溶接速度又は単位溶接長さ当たりのワイヤ溶着量が変化して送給速度の振幅が変化しても、送給速度の平均値は一定になるので、さらに安定した溶接状態を保つことができる。
【産業上の利用可能性】
【００５６】  本発明によれば、溶接ワイヤの正送と逆送とを繰り返すアーク溶接において、溶接速度又は単位溶接長さ当たりのワイヤ溶着量が変化しても溶接状態を安定に保つことができるアーク溶接制御方法を提供することができる。【００５７】  以上、本発明を特定の実施形態によって説明したが、本発明はこの実施形態に限定されるものではなく、開示された発明の技術思想を逸脱しない範囲で種々の変更が可能である。  本出願は、２０１４年３月１７日出願の日本特許出願（特願２０１４−０５３１５２）に基づくものであり、その内容はここに取り込まれる。
【符号の説明】
【００５８】１     溶接ワイヤ２     母材３     アーク４     溶接トーチ５     送給ロールＤＲ   溶接ワイヤ半径設定回路ｄｒ   溶接ワイヤ半径設定信号ＤＶ   駆動回路Ｄｖ   駆動信号Ｅ     出力電圧ＥＡ   電圧誤差増幅回路Ｅａ   電圧誤差増幅信号ＥＤ   出力電圧検出回路Ｅｄ   出力電圧検出信号ＥＦ   送給誤差増幅回路Ｅｆ   送給誤差増幅信号ＥＲ   出力電圧設定回路Ｅｒ   出力電圧設定信号ＦＡＤ 平均送給速度算出回路Ｆａｄ 平均送給速度算出信号ＦＡＲ 平均送給速度設定回路Ｆａｒ 平均送給速度設定信号ＦＣ   送給制御回路Ｆｃ   送給制御信号ＦＲ   送給速度設定回路Ｆｒ   送給速度設定信号Ｆｗ   送給速度Ｉｗ   溶接電流ＭＤ   単位溶接長さ当たりのワイヤ溶着量算出回路Ｍｄ   単位溶接長さ当たりのワイヤ溶着量（信号）ＰＭ   電源主回路Ｓｆ   正送側シフト量ＳＦＲ 正送側シフト量設定回路Ｓｆｒ 正送側シフト量設定信号ＳＦＲ２      第２正送側シフト量設定回路Ｔａｒ アーク期間逆送期間Ｔａｓ アーク期間正送期間Ｔｆ   周期ＴＦＲ 周期設定回路Ｔｆｒ 周期設定信号ＴＦＲ２      第２周期設定回路Ｖｗ   溶接電圧Ｗｆ   振幅ＷＦＲ 振幅設定回路Ｗｆｒ 振幅設定信号ＷＦＲ２      第２振幅設定回路ＷＬ   リアクトルＷＭ   送給モータＷＳＲ 溶接速度設定回路Ｗｓｒ 溶接速度設定信号
【図１】
0006544865.tif 000002
【図２】
0006544865.tif 000003
【図３】
0006544865.tif 000004
【図４】
0006544865.tif 000005